(57)【要約】【課題】  ＰＳから送信した操作要求により行われた構内放送の内容をＰＳで確認することを可能にする。【解決手段】  通信先であるメロディサーバ２１かまたはＰＳ１１を識別する通信先情報を記憶する通話先記憶部２３１ａと、いずれかの通信先情報を一時的に退避させて記憶する退避情報記憶部２３１ｂと、ＰＳ１１から受信したキー入力通知に基づいていずれかの通信先を通話先記憶部２３１ａに記憶させるとともに、通話先記憶部２３１ａに既に記憶されていた情報を退避情報記憶部２３１ｂに記憶させる制御部２３２と、通話先記憶部２３１ａに記憶されている通信先がメロディサーバ識別情報であるときには、受信したメロディデータまたはメッセージデータを退避情報記憶部２３１ｂに記憶された情報に基づいてＰＳ１１に送信するデータ送信部２３８とを備える。【選択図】  図１
2009055187.tif 000002
【特許請求の範囲】
【請求項１】
ＰＨＳ自営モードで動作するＰＨＳ構内電話システムと、構内放送を出力する構内放送処理システムとがネットワークを介して接続された構内放送システムにおいて、
前記ＰＨＳ構内電話システムは、
所持者による音声データを放送させるためのマイクモードに設定するか、または、予め録音されたメロディデータもしくはメッセージデータを放送させるためのメロディモードに設定するか、のいずれかの放送モードを指定した放送内容設定要求を前記所持者の操作に従って前記構内放送処理システムに送信し、前記構内放送処理システムが前記マイクモードに設定された場合には、前記所持者による音声データを前記構内放送処理システムに送信する、ＰＨＳ自営モードでそれぞれ動作する複数のＰＳ（Ｐｅｒｓｏｎａｌ  Ｓｔａｔｉｏｎ）と、
前記複数のＰＳの親機として機能し、前記構内放送処理システムとの通信を中継する１つまたは複数のＣＳ（Ｃｅｌｌ  Ｓｔａｔｉｏｎ）と、
を備え、
前記構内放送処理システムは、
前記メロディデータおよび前記メッセージデータを格納するメロディサーバと、
通話中の通話先を識別するための通話先情報を記憶する通話先記憶部と、
前記通話先記憶部から通話先情報を退避させる退避情報記憶部と、
前記ＰＨＳ構内電話システムとの間で呼制御処理を行い、呼接続時に前記ＰＨＳ構内電話システムから通知された通話相手の通話先情報を前記通話先記憶部に記憶させ、前記ＰＨＳ構内電話システムから前記放送モードを前記メロディモードに設定するための前記放送内容設定要求を受信した場合には、呼接続時に前記通話先記憶部に記憶した前記通話先情報を前記退避情報記憶部に退避させるとともに、前記メロディサーバの識別情報を前記通話先記憶部に記憶させ、その後、前記放送モードを前記マイクモードに設定するための前記放送内容設定要求を受信した場合には、前記退避情報記憶部から前記通話先記憶部に通話先情報を書き戻す呼制御部と、
前記呼制御部により前記通話先記憶部に記憶された通話先から届けられるデータのみを受信処理するデータ受信部と、
前記データ受信部で受信された前記メロディデータ、前記メッセージデータまたは前記音声データを取得して構内放送として出力させる音声ドライバと、
前記放送モードが前記メロディモードである場合に、前記音声ドライバで取得したメロディデータまたはメッセージデータを前記退避情報記憶部に記憶された前記ＣＳに送信するデータ送信部と、
を備えたことを特徴とする構内放送システム。
【発明の詳細な説明】
【技術分野】
【０００１】
本発明は、ＰＨＳ構内電話システムを用いて構内放送を行う構内放送システムに関する。
【背景技術】
【０００２】
鉄道の駅構内において構内放送を行うためのシステムとして、ＰＨＳ（Personal Handyphone System）の自営モードを利用した駅構内放送システムが知られている。
【０００３】
このシステムは、ＰＳ（Personal Station）と呼ばれる無線端末（例えば、ＰＨＳ）を、構内放送のワイヤレスマイクおよび放送内容の切り替え端末として駅の放送装置と連動させるものであり、駅員や車掌がＰＳを操作することで、音声、または録音されている乗車促進メッセージもしくはメロディを構内放送として流すことができる。
【０００４】
このシステムの一例として、特許文献１に記載の駅構内放送システムがある。
【０００５】
この駅構内放送システムでは、ＰＳの特定のキーが操作されると、このキーが操作されたことがＣＳ（Cell Station）およびＰＢＸ（Private Branch eXchange）を介して構内放送の制御を行う構内放送システムに伝えられる。
【０００６】
操作されたキーの内容は駅構内放送システムにおいて識別され、構内放送として出力される内容として、音声、または予め録音された乗車促進メッセージもしくはメロディが選択される。
【０００７】
そして、音声が選択されたときには、ＰＳがワイヤレスマイクとして機能し、構内放送システムを介してこのＰＳのマイクから入力された音声がスピーカから出力される。
【０００８】
駅構内放送システムでは、駅員が構内放送に利用するだけでなく、駅での利用に特化した機能として、列車がホームに到着するときに車掌の所持するＰＳが無線通信エリアに入るのを契機として自動的に着信がかかる仕組みになっている。これにより、咄嗟の場合でも速やかに車掌が放送を行うことを可能にし、また乗車促進メッセージなどの定型アナウンスを簡単に行うことも可能にしている。
【特許文献１】特開２００５−２０２５２１号公報
【発明の開示】
【発明が解決しようとする課題】
【０００９】
しかし、特許文献１に記載の駅構内放送システムでは、ＰＳから駅構内放送システムに対して一方的に音声データおよび操作要求を送信するのみであるため、駅員や車掌が自分で行った操作どおりに構内放送が出力されているかどうかを確認するには、実際に流れている構内放送を自身で聴き取るしか方法がなく、特に周辺住民への配慮から構内放送の音量を絞っている場合には、構内放送を聴き取ることが困難であり操作の確認ができないという問題があった。
【００１０】
本発明は上記問題に鑑みてなされたものであり、自営モードで動作するＰＨＳ構内電話システムと連動した構内放送システムにおいて、ＰＳから送信した操作要求により行われた構内放送の内容を手元のＰＳで確認することを可能にする構内放送システムを提供することを目的とする。
【課題を解決するための手段】
【００１１】
上記目的を達成するための本発明の駅構内放送システム（１）は、ＰＨＳ自営モードで動作するＰＨＳ構内電話システム（１０）と、構内放送を出力する構内放送処理システム（２０）とがネットワーク（３０）を介して接続された構内放送システム（１）において、前記ＰＨＳ構内電話システム（１０）は、所持者による音声データを放送させるためのマイクモードに設定するか、または、予め録音されたメロディデータもしくはメッセージデータを放送させるためのメロディモードに設定するか、のいずれかの放送モードを指定した放送内容設定要求を前記所持者の操作に従って前記構内放送処理システム（２０）に送信し、前記構内放送処理システム（２０）が前記マイクモードに設定された場合には、前記所持者による音声データを前記構内放送処理システム（２０）に送信する、ＰＨＳ自営モードでそれぞれ動作する複数のＰＳ（Ｐｅｒｓｏｎａｌ  Ｓｔａｔｉｏｎ）（１１）と、前記複数のＰＳの親機として機能し、前記構内放送処理システム（２０）との通信を中継する１つまたは複数のＣＳ（Ｃｅｌｌ  Ｓｔａｔｉｏｎ）（１２）とを備え、前記構内放送処理システム（２０）は、前記メロディデータおよび前記メッセージデータを格納するメロディサーバ（２１）と、通話中の通話先を識別するための通話先情報を記憶する通話先記憶部（２３１ａ）と、前記通話先記憶部（２３１ａ）から通話先情報を退避させる退避情報記憶部（２３１ｂ）と、前記ＰＨＳ構内電話システム（１０）との間で呼制御処理を行い、呼接続時に前記ＰＨＳ構内電話システム（１０）から通知された通話相手の通話先情報を前記通話先記憶部（２３１ａ）に記憶させ、前記ＰＨＳ構内電話システム（１０）から前記放送モードを前記メロディモードに設定するための前記放送内容設定要求を受信した場合には、呼接続時に前記通話先記憶部（２３１ａ）に記憶した前記通話先情報を前記退避情報記憶部（２３１ｂ）に退避させるとともに、前記メロディサーバ（２１）の識別情報を前記通話先記憶部（２３１ａ）に記憶させ、その後、前記放送モードを前記マイクモードに設定するための前記放送内容設定要求を受信した場合には、前記退避情報記憶部（２３１ｂ）から前記通話先記憶部（２３１ａ）に通話先情報を書き戻す呼制御部（２３２）と、前記呼制御部（２３２）により前記通話先記憶部（２３１ａ）に記憶された通話先から届けられるデータのみを受信処理するデータ受信部（２３３）と、前記データ受信部（２３３）で受信された前記メロディデータ、前記メッセージデータまたは前記音声データを取得して構内放送として出力させる音声ドライバ（２３５）と、前記放送モードが前記メロディモードである場合に、前記音声ドライバ（２３５）で取得したメロディデータまたはメッセージデータを前記退避情報記憶部（２３１ｂ）に記憶された前記ＣＳ（１２）に送信するデータ送信部（２３８）とを備えたことを特徴とする。
【発明の効果】
【００１２】
本発明によれば、ＰＳから送信した操作要求により行われた構内放送の内容を、手元のＰＳで容易に且つ確実に確認することができる。
【発明を実施するための最良の形態】
【００１３】
本発明の一実施形態として、構内放送システムを駅構内にて用いられる駅構内放送システムに適用した例について、図面を参照して詳細に説明する。
【００１４】
〈駅構内放送システムの構成〉
まず、駅構内放送システムの概略構成を、図１および図２を参照して説明する。
【００１５】
図１に示すように、本実施形態による駅構内放送システム１は、ＰＨＳ構内電話システム１０と、駅構内放送処理システム２０とがＬＡＮ３０で接続されて構成されている。
【００１６】
ＰＨＳ構内電話システム１０は、複数のＰＳ（Personal Station）１１と、１つまたは複数のＣＳ（Cell Station）１２と、ＰＢＸ（Private Branch eXchange）１３と、位置登録サーバ１４とを有する。なお、同図においては、図の簡略化のため、ＰＳ１１およびＣＳ１２を各１つのみ図示している。
【００１７】
ＣＳ１２は、駅のホームや司令所などに設置された、ＰＳ１１に対する無線親機であり、無線情報として呼出エリア番号を報知するものである。
【００１８】
ＰＳ１１は、予め自営モードでＰＨＳ構内電話システム１０に登録され、駅員および車掌に携帯されるＰＨＳ無線端末である。なお、ＣＳ１２が複数設置されている場合、ＰＳ１１は、記憶している呼出エリア番号と、ＣＳ１２が報知する呼出エリア番号との比較を行うことによって、別の無線エリアに移動したことを知ることができる。
【００１９】
ＰＢＸ１３は、電話交換機の機能を有するものである。
【００２０】
位置登録サーバ１４は、各ＰＳ１１の位置情報を登録管理するものである。ＰＳ１１が別の無線エリアに移動したときに発する位置登録要求が、ＣＳ１２とＰＢＸ１３とを通じて位置登録サーバ１４に供給されて記録され、後述する駅構内放送処理システム２０の構内放送コントローラ２２に伝えられる。
【００２１】
駅構内放送処理システム２０は、メロディサーバ２１と、構内放送コントローラ２２と、構内放送出力制御装置としてのＰＡ（Public Address）アダプタ２３と、ＰＡ装置２４と、スピーカ２５とを有する。このうち、ＰＡアダプタ２３、ＰＡ装置２４、およびスピーカ２５は、駅の各ホームの上り、下り方面にそれぞれ１組ずつ設置される。なお、ＰＡ装置２４は、複数チャンネルの入出力を有するものを用いれば、駅構内や指令所等に１つ設置すればよい。
【００２２】
メロディサーバ２１は、予め録音された、構内放送で流されるメロディデータやメッセージデータを格納する。
【００２３】
構内放送コントローラ２２は、車掌が乗車に先立って所定の電話番号に電話することで車掌モードとして登録したＰＳ１１の内線番号、および各ＣＳ１２に対応するＰＡアダプタ２３等の情報が格納されたデータベースを有し、登録されたＰＳ１１がいずれかのＣＳ１２の通信エリア内に入ったことを認識する信号を位置登録サーバ１４経由で当該ＣＳ１２から受信すると、当該ＣＳ１２に対応するＰＡアダプタ２３をデータベースに基づいて選択する。そして、構内放送コントローラ２２は、この選択したＰＡアダプタ２３に、発呼先のＰＳ１１の内線番号を知らせて発呼処理を行わせる。
【００２４】
このようにして、車掌モードに登録されたＰＳ１１を所持した車掌が乗車する列車が駅ホームに到着すると、自動的に行われる位置登録を契機に、車掌が所持するＰＳ１１に電話がかかり、ＰＳ１１の自動応答機能により直ちに通話状態になる。
【００２５】
なお、駅員が上り／下りのホーム毎に固有の番号（例：＊１や＊２）をダイヤルすることで、上り／下りのホーム毎に割り当てられたＰＡアダプタ２３に着信させるようにしてもよい。
【００２６】
次に、ＰＡアダプタ２３の構成について、図２の概略ブロック図を参照して説明する。ＰＡアダプタ２３は、図２に示すように、記憶部２３１と、呼制御部２３２と、データ受信部２３３と、受信バッファ２３４と、音声ドライバ２３５と、音声コーデック２３６と、送信バッファ２３７と、データ送信部２３８とを有する。
【００２７】
そして、記憶部２３１は、現在通話中の通話先の情報（通話先情報）を記憶する通話先記憶部２３１ａと、通話先記憶部２３１ａに記憶された通話先情報を退避する退避情報記憶部２３１ｂと、構内放送の放送モードを記憶する放送モード記憶部２３１ｃとを有する。この放送モードには、ＰＳ１１から送信される当該ＰＳ１１の保持者の音声を放送するマイクモード、メロディサーバ２１から取得されるメロディデータまたはメッセージデータを放送するメロディモード、およびミューティングモードなどがある。
【００２８】
呼制御部２３２は、ＰＢＸ１３との間で呼制御を行う。発呼や着呼などの呼接続処理の過程で通話先の端末（例えばＣＳ１２）のネットワーク上のアドレスやその端末内の呼番号をＰＢＸ１３から取得たときに、これらの情報を通話先情報として通話先記憶部２３１ａに記憶させる。
【００２９】
また、呼制御部２３２は、通話中のＰＳ１１の操作にしたがって発生したキー入力通知を受信したときには、このキー入力通知によりスピーカ２５に出力する音データの供給元をＣＳ１２からメロディサーバ２１に変更する必要があるときには、呼接続時に通話先記憶部２３１ａに記憶された通話先情報を退避情報記憶部２３１ｂに退避させ、通話先記憶部２３１ａに記憶されている通話先情報をメロディサーバ２１の情報に変更する。あるいは、逆に音データ供給元をメロディサーバ２１からＣＳ１２に戻すことを意味するキー入力通知を受信した場合は、退避情報記憶部２３１ｂに退避させている情報を通話先記憶部２３１ａに書き戻す。
【００３０】
また、呼制御部２３２は、通話中のＰＳ１１の操作にしたがって発生した放送モードに関するキー入力通知を受信したときには、このキー入力通知の内容に基づいて放送モードを判定し、放送モード記憶部２３１ｃに記憶させる。
【００３１】
データ受信部２３３は、ＣＳ１２から送信されたＰＳ１１の音声データ、またはメロディサーバ２１から送信されたメロディデータもしくはメッセージデータを受信し、この受信したデータが記憶部２３１の通話先に設定された相手から取得したものでなければ破棄し、通話先に設定された相手から取得したものであれば受信バッファ２３４に送出する。
【００３２】
受信バッファ２３４は、データ受信部２３３から取得した音声データ、メロディデータ、またはメッセージデータを記憶する。
【００３３】
音声ドライバ２３５は、受信バッファ２３４に記憶された音声データ、メロディデータ、またはメッセージデータを定期的に固定サイズのデータで読み出して音声コーデック２３６に送出するとともに、音声コーデック２３６から音声データ、メロディデータ、またはメッセージデータを取得したかのごとく、受信バッファ２３４から読み出したデータを直接送信バッファ２３７にも送出する。
【００３４】
音声コーデック２３６は、音声ドライバ２３５から送出された音声データ、メロディデータ、またはメッセージデータを取得し、Ｄ／Ａ変換を行ってＰＡ装置２４に送信する。
【００３５】
送信バッファ２３７は、音声ドライバ２３５から取得した音声データ、メロディデータ、またはメッセージデータを記憶する。
【００３６】
データ送信部２３８は、送信バッファ２３７に記憶されたデータを定期的に読み出すとともに、放送モード記憶部２３１ｃに記憶された現在の放送モードがマイクモードであれば、送信バッファ２３７から読み出したデータはＬＡＮ３０に送信せずに捨て、一方、メロディモードであれば、送信バッファ２３７から読み出したデータを退避情報記憶部２３１ｂに記憶されている通話先、すなわちＣＳ１２に送信する。
【００３７】
ＰＡ装置２４は、ＰＡアダプタ２３から取得した音声データ、メロディデータ、またはメッセージデータをスピーカ２５に送出する。
【００３８】
スピーカ２５は、ＰＡ装置２４から入力された音声データ、メロディデータ、またはメッセージデータを音として駅構内に出力する。
【００３９】
〈駅構内放送システムの動作〉
駅構内にＣＳ１２が設置されたホームに、車掌モードに設定されたＰＳ１１が列車と共に到着すると、構内放送コントローラ２２は、ＰＳ１１がＣＳ１２の無線圏内に入ったことをＰＨＳ構内電話システム１１により知らされる。
【００４０】
構内放送コントローラ２２は、内蔵するデータベース（不図示）を検索して、ＣＳ１２に対応する適切なＰＡアダプタ２３（結果的にＰＡアダプタ２３が接続されているホームのスピーカ２５）を選択し、ＰＡアダプタ２３に対してＰＳ１１に発呼するように指示する。
【００４１】
以下、上記のような状況で駅構内放送が行われる仕組みについて図３〜図６のフローチャートを併せ参照して説明する。
【００４２】
まず、図３のフローチャートを参照してＰＡアダプタ２３の呼制御部２３２の処理について説明する。
【００４３】
ＰＡアダプタ２３は、構内放送コントローラ２２からＰＳ１１の内線番号への発呼要求を受信すると（Ｓ１のＹＥＳ）、ＰＳ１１を着信先とした発呼処理を行う（Ｓ２）。
【００４４】
ＰＳ１１に着信してこれに応答したことがＰＢＸ１３からＰＡアダプタ２３に伝えられると（Ｓ３のＹＥＳ）、ＰＡアダプタ２３は、ＰＢＸ１３から受信した通話先の端末（ＣＳ１２）のネットワーク上のアドレスと呼番号とを認識し、これらの情報を通話先情報として通話先記憶部２３１ａに記憶（Ｓ４）し、呼接続が完了して通話中の状態になる。
【００４５】
通話中にＰＳ１１のキーが操作され、構内放送で音声を放送するマイクモードか、または、メロディサーバ２１に格納されているメロディデータもしくはメッセージデータを放送するメロディモードのいずれかに設定するためのキーが押されると、ＣＳ１２とＰＢＸ１３とを通じてキー入力通知が呼制御部２３２で受信される。
【００４６】
呼制御部２３２は、このキー入力通知の内容に基づいて放送モードがマイクモードであるかメロディモードであるかを判定する。
【００４７】
受信されたキー入力通知の内容がメロディモードであると判定すると（Ｓ６のＹＥＳ）、既にメロディモードか否かを判定し（Ｓ７）、まだメロディモードになっていなければ（Ｓ７のＮＯ）、Ｓ４で通話先記憶部２３１ａに記憶した通話先情報、すなわちＣＳ１２のネットワーク上のアドレスとその呼番号を退避情報記憶部２３１ｂに退避し（Ｓ８）、通話先記憶部２３１ａにメロディサーバ２１のネットワーク上のアドレスを設定する（Ｓ８）。そして放送モード記憶部２３１ｃをメロディモードに設定し（Ｓ９）、メロディサーバにメッセージまたはメロディの音データを要求する（Ｓ１０）。
【００４８】
一方、受信されたキー入力通知の内容がマイクモードであると判定すると（Ｓ５のＹＥＳ）、既にマイクモードか否かを判定し（Ｓ１１）、まだマイクモードになっていなければ（Ｓ１１のＮＯ）、現在メロディモードか否かを判定する（Ｓ１２）。このとき、現在メロディモードではないと判定すると（Ｓ１２のＮＯ）、放送モード記憶部２３１ｃをマイクモードに設定する（Ｓ１５）だけであるが、メロディモードであったと判定すると（Ｓ１２のＹＥＳ）、メロディサーバに音データの送信停止を要求し（Ｓ１３）、退避情報記憶部（２３１ｂ）より通話先の情報、すなわちＣＳ１２のネットワーク上のアドレスと呼番号を通話先記憶部２３１ａに復旧（Ｓ１４）したうえで、放送モード記憶部２３１ｃにマイクモードを設定する（Ｓ１５）。
【００４９】
ＰＳ１１のオンフックボタンが押されて電話が切られたり、通話状態のままＰＳ１１を載せた列車が発車し、ＰＳ１１がＣＳ１２の圏外に移動すると、ＣＳ１２より呼切断解放の要求がＰＢＸ１３経由でＰＡアダプタ２３に伝えられる。ＰＡアダプタ２３の呼制御部２３２が前記呼切断解放要求を受信すると（Ｓ１６のＹＥＳ）、通話に使用していた呼に関する記憶部２３１の初期化を行い（１７）、通話が終了する。
【００５０】
次に、図４のフローチャートを参照して、ＰＡアダプタ２３のデータ受信部２３３の処理について説明する。
【００５１】
データ受信部２３３は、データを受信すると（Ｓ２０のＹＥＳ）、送信元が通話先記憶部２３１ａに記憶されている通話先と一致するかどうかを判定し（Ｓ２１）、一致した場合のみ受信したデータを受信バッファ２３４に格納する（Ｓ２２）。言い換えると、マイクモードのときにメロディサーバ２１から届いた音データや、メロディモードのときにＣＳ１２から届いた音声データは受信バッファ２３４には格納されない。
【００５２】
次に、図５のフローチャートを参照して、ＰＡアダプタ２３の音声ドライバ２３５の処理について説明する。
【００５３】
音声ドライバ２３５の割り込み処理は、定期的に起動される。起動された音声ドライバの割り込み処理は、受信バッファ２３４から一定サイズのデータのデータ読み出しを試みる（Ｓ３１）。このとき、受信バッファ２３４にデータが溜まっていなければ（Ｓ３２のＮＯ）、代わりに無音データを読み出したデータとして用意する（Ｓ３３）。読み出したデータは、音声コーデック２３６に送出する（Ｓ３４）とともに、音声コーデック２３６から音声データ、メロディデータ、またはメッセージデータが取得されたかのごとく、受信バッファ２３４から読み出したデータを直接送信バッファ２３７にも送出する（Ｓ３５）。
【００５４】
音声コーデック２３６で取得された音声データ、メロディデータ、またはメッセージデータはＤ／Ａ変換され、ＰＡ装置２４に送信され、最終的にスピーカ２５から駅構内に放送される。
【００５５】
次に、図６のフローチャートを参照して、ＰＡアダプタ２３のデータ送信部２３８の処理について説明する。
【００５６】
ＰＡアダプタ２３のデータ送信部２３８では、通話先記憶部２３１ａを参照し、通話先が設定されているかどうかを判定し（Ｓ４１）、通話先が設定されている場合（Ｓ４１のＹＥＳ）には、送信バッファ２３７からデータの取り出しを試みる（Ｓ４２）。もし、送信バッファにデータがあれば（Ｓ４３のＹＥＳ）、データ送信部２３８では、データをＬＡＮ３０上に送出するにあたり、放送モード記憶部２３１ｃを参照し、現在メロディモードか否かを判定する（Ｓ４４）。前記判定（Ｓ４４）でメロディモードでないと判定された場合には（Ｓ４４のＮＯ）、送信バッファ２３７から読み出したデータはＬＡＮ３０に送信せずに破棄し、メロディモードである場合は（Ｓ４４のＹＥＳ）、送信バッファ２３７から読み出したデータは通話先記憶部２３１ａに記憶されている通話先すなわちＣＳ１２に送信する（Ｓ１２）。
【００５７】
ＣＳ１２に送信されたメッセージやメロディは、ＣＳ１２の働きによってＰＳ１１に届けられ、ＰＳ１１の保持者は構内放送の内容を聴くことができる。
【００５８】
以上詳述したように、本実施形態によれば、構内放送の内容として予め録音されたメロディデータまたはメッセージデータを流すための操作をＰＳ１１から行った際に、操作要求どおりに構内放送が流れているか否かを、所持者がＰＳ１１からの音声出力により確認することができる。
【００５９】
そのため、周辺住民への配慮から構内放送の音量を絞っている場合にも、放送内容を手元のＰＳ１１で確実に確認することができる。
【００６０】
また、本実施形態のＰＡアダプタ２３の機能を構内放送出力制御プログラムに構成してコンピュータに組み込むことにより、このコンピュータを構内放送出力制御装置として機能させることもできる。
【００６１】
なお、本実施形態では、構内放送システムを駅構内にて用いられる駅構内放送システムに適用した例について説明したが、本発明はこれに限定されることなく、他の用途、例えば学校内にて用いられる学校内放送システムにも適用することができる。
【図面の簡単な説明】
【００６２】
【図１】本発明の一実施形態による駅構内放送システム１の構成を示すブロック図である。
【図２】本発明の一実施形態による駅構内放送システム１に用いられる構内放送出力制御装置としてのＰＡアダプタ２３の構成を示すブロック図である。
【図３】本発明の一実施形態による駅構内放送システム１で利用されるＰＡアダプタ２３の呼制御部２３２の動作を説明するためのフローチャートである。
【図４】本発明の一実施形態による駅構内放送システム１で利用されるＰＡアダプタ２３のデータ受信部２３３の動作を説明するためのフローチャートである。
【図５】本発明の一実施形態による駅構内放送システム１で利用されるＰＡアダプタ２３の音声ドライバ２３５の動作を説明するためのフローチャートである。
【図６】本発明の一実施形態による駅構内放送システム１で利用されるＰＡアダプタ２３のデータ送信部２３８の動作を説明するためのフローチャートである。
【符号の説明】
【００６３】
１…構内放送システム
１０…ＰＨＳ構内電話システム
１１…ＰＳ
１２…ＣＳ
１３…ＰＢＸ
１４…位置登録サーバ
２０…駅構内放送処理システム
２１…メロディサーバ
２２…構内放送コントローラ
２３…ＰＡアダプタ
２４…ＰＡ装置
２５…スピーカ
３０…ＬＡＮ
２３１…記憶部
２３１ａ…通話先記憶部
２３１ｂ…退避情報記憶部
２３１ｃ…放送モード記憶部
２３２…呼制御部
２３３…データ受信部
２３４…受信バッファ
２３５…音声ドライバ
２３６…音声コーデック
２３７…送信バッファ
２３８…データ送信部
【図１】
2009055187.tif 000003
【図２】
2009055187.tif 000004
【図３】
2009055187.tif 000005
【図４】
2009055187.tif 000006
【図５】
2009055187.tif 000007
【図６】
2009055187.tif 000008